(57)【特許請求の範囲】
【請求項１】
吸込み口と吹出し口とを連通した風路が形成されたケースと、
前記風路内に設けられ、気流を発生させるファンと、
前記吹出し口に設けられ、前記吹出し口を区画する側面に向かって延びた回転可能な第１の回転軸と、
前記吹出し口に設けられ、前記第１の回転軸を中心に回動して前記吹出し口から吹き出される前記気流の方向を上下方向に偏向させる上下羽根と、
前記第１の回転軸と前記上下羽根との間に設けられ、前記第１の回転軸と前記上下羽根との相対位置を変化させ、また、前記第１の回転軸を中心に前記上下羽根を回動させる上下羽根駆動手段とを備え、
前記上下羽根駆動手段は、前記上下羽根と前記第１の回転軸との間に設けられ前記上下羽根を支持した連結体と、前記上下羽根の前記第１の回転軸と直交方向の両端部間を前記連結体がスライドするように、前記上下羽根を前記連結体に対して相対移動させる移動機構と、前記第１の回転軸を中心に前記連結体を回動させる回動機構とを有していることを特徴とする空気調和機。
【請求項２】
前記移動機構は、前記上下羽根に設けられた第１の接触部と、前記第１の接触部に接触し回転可能な回転体と、前記第１の回転軸から前記第１の回転体へ回転力を伝達する第１の回転力伝達部と、前記第１の回転軸を回転させる第１のモータとを含み、
前記回動機構は、前記第１の回転軸と平行に設けられ回転可能な第２の回転軸と、前記連結体に設けられ前記連結体とともに前記第１の回転軸を中心に回動する第２の接触部と、前記第２の回転軸から前記第２の接触部へ回転力を伝達する第２の回転力伝達部と、前記第２の回転軸を回転させる第２のモータとを含んでいることを特徴とする請求項１に記載の空気調和機。
【請求項３】
前記移動機構は、前記上下羽根に設けられた第１の接触部と、前記第１の接触部に接触し回転可能な回転体と、前記第１の回転軸から前記第１の回転体へ回転力を伝達する第１の回転力伝達部とを含み、
前記回動機構は、前記第１の回転軸と平行に設けられ回転可能な第２の回転軸と、前記連結体に設けられ前記連結体とともに前記第１の回転軸を中心に回動する第２の接触部と、前記第２の回転軸から前記第２の接触部へ回転力を伝達する第２の回転力伝達部とを含み、
前記第１の回転軸と前記第２の回転軸との間には、前記第１の回転軸または前記第２の回転軸の何れか一方に回転力が伝達されたときに、前記一方の回転力を他方へ伝達する第３の回転力伝達部が設けられていることを特徴とする請求項１に記載の空気調和機。
【請求項４】
前記上下羽根駆動手段は、前記上下羽根の下流側となる端部が前記第１の回転軸から離れるように前記相対位置を変化させるとともに、前記上下羽根を上下方向に反転させることを特徴とする請求項１ないし請求項３の何れか１項に記載の空気調和機。
【請求項５】
前記第１のモータは、前記吹出し口の一方の側面側に配置され、
前記第２のモータは、前記第１のモータと同一である前記吹出し口の一方の側面側に配置されていることを特徴とする請求項２に記載の空気調和機。
【請求項６】
前記第１のモータは、前記吹出し口の一方の側面側に配置され、
前記第２のモータは、前記吹出し口の他方の側面側に配置されていることを特徴とする請求項２に記載の空気調和機。
【請求項７】
前記第２の回転軸は、前記第２のモータと前記連結体との間に渡って設けられており、
前記第２の回転力伝達部は、前記連結体に設けられていることを特徴とする請求項２に記載の空気調和機。
【請求項８】
前記連結体は、前記第１の回転軸に沿った前記上下羽根の両端部側にそれぞれ設けられており、
前記第２の回転軸は、両前記連結体に渡って設けられていることを特徴とする請求項２に記載の空気調和機。
【請求項９】
前記連結体は、前記第１の回転軸に沿った前記上下羽根の両端部側にそれぞれ設けられており、
前記第１の回転軸は、両前記連結体に渡って設けられていることを特徴とする請求項１ないし請求項８の何れか１項に記載の空気調和機。
【請求項１０】
前記移動機構は、前記第１の回転軸の回転力を前記上下羽根に伝達して前記上下羽根を移動させるギヤ、ローラまたはベルトを有していることを特徴とする請求項１ないし請求項９の何れか１項に記載の空気調和機。
【請求項１１】
前記回動機構は、前記第２の回転軸の回転力を前記連結体に伝達して前記連結体を回動させるギヤ、ローラまたはベルトを有していることを特徴とする請求項１ないし請求項１０の何れか１項に記載の空気調和機。
【発明の詳細な説明】
【技術分野】
【０００１】
この発明は、吹出し口に設けられ、ファンにより発生する気流の方向を上下方向に偏向させる上下羽根を備えた空気調和機に関する。
【背景技術】
【０００２】
従来、吸込み口と吹出し口とを連通した風路が形成されたケースと、前記風路内に設けられ、気流を発生させるファンと、前記吹出し口に設けられ、前記吹出し口から吹き出される前記気流の方向を上下方向に偏向させる上下羽根とを備えた空気調和機が知られている（例えば、特許文献１参照）。
この空気調和機は、前記上下羽根を水平方向または下方向に回動させることで、前記気流の方向を水平方向または下方向に制御する。
【０００３】
【特許文献１】特開平３−１５８６４７号公報
【発明の開示】
【発明が解決しようとする課題】
【０００４】
しかしながら、このものの場合、例えば、気流の方向を下方向に偏向させるために上下羽根を下方向に傾けると、気流が上下羽根を通過するときに、上下羽根の上面を通過する気流の一部が下方向に偏向されずに上方向に流れてしまい、気流の制御性が低下するという問題点があった。
【０００５】
この発明は、上述のような問題点を解決することを課題とするものであって、その目的は、例えば、気流の方向を下方向に偏向させるために上下羽根を下方向に傾けて、気流が上下羽根を通過するときに、気流の一部が下方向に偏向されずに上方向に流れてしまうのを抑制して、気流の制御性を向上させることができる空気調和機を提供するものである。
【課題を解決するための手段】
【０００６】
この発明に係る空気調和機は、吸込み口と吹出し口とを連通した風路が形成されたケースと、前記風路内に設けられ、気流を発生させるファンと、前記吹出し口に設けられ、前記吹出し口を区画する側面に向かって延びた回転可能な第１の回転軸と、前記吹出し口に設けられ、前記第１の回転軸を中心に回動して前記吹出し口から吹き出される前記気流の方向を上下方向に偏向させる上下羽根と、前記第１の回転軸と前記上下羽根との間に設けられ、前記第１の回転軸と前記上下羽根との相対位置を変化させ、また、前記第１の回転軸を中心に前記上下羽根を回動させる上下羽根駆動手段とを備え、前記上下羽根駆動手段は、前記上下羽根と前記第１の回転軸との間に設けられ前記上下羽根を支持した連結体と、前記上下羽根の前記第１の回転軸と直交方向の両端部間を前記連結体がスライドするように、前記上下羽根を前記連結体に対して相対移動させる移動機構と、前記第１の回転軸を中心に前記連結体を回動させる回動機構とを有している。
【発明の効果】
【０００７】
この発明に係る空気調和機によれば、例えば、気流の方向を下方向に偏向させるために上下羽根を下方向に傾けて、気流が上下羽根を通過するときに、気流の一部が下方向に偏向されずに上方向に流れてしまうのを抑制して、気流の制御性を向上させることができる。
【発明を実施するための最良の形態】
【０００８】
以下、この発明の各実施の形態を図に基づいて説明するが、各図において、同一または相当の部材、部位については、同一符号を付して説明する。
本明細書では、図１の矢印Ａの方向を上方向と呼ぶ。
実施の形態１．
図１は実施の形態１に係る空気調和機の構成図、図２は図１の上下羽根駆動手段１１を示す斜視図、図３（ａ）は図２の上下羽根駆動手段１１の一端部を示す正面図、図３（ｂ）は図３（ａ）の矢印Ｂから視た上下羽根駆動手段１１の側面図、図３（ｃ）は図２の上下羽根駆動手段１１の他端部を示す正面図、図３（ｄ）は図３（ｃ）の矢印Ｄから視た上下羽根駆動手段１１の側面図である。
なお、図３ではスライドガイド７ａを省略し、図３（ｄ）では、スライド運動用モータ２３および回動運動用モータ２４を省略している。
実施の形態１に係る空気調和機は、外部から空気を吸い込む吸込み口１、この吸込み口１から吸い込まれた空気を外部へ吹き出す吹出し口２、吸込み口１と吹出し口２とを連通した風路３がそれぞれ形成されたケース４を備えている。
また、この空気調和機は、風路３内に設けられ、気流を発生させるファン５と、吸込み口１とファン５との間に設けられ、吸込み口１から吸い込まれた空気と熱交換を行う熱交換器６と、吹出し口２に設けられ、吹出し口２から吹き出される気流の方向を上下方向に偏向させる断面円弧形状の上下羽根７と、ファン５と上下羽根７との間に設けられ、風路３内の気流の方向を左右方向に偏向させる左右羽根８とを備えている。
【０００９】
吹出し口２には、上下羽根７に対向し、かつ吹出し口２を区画する側面に向かって水平方向に延びた第１の回転軸９と、この第１の回転軸９と平行な第２の回転軸１０とが回転可能に支持されている。
上下羽根７と第１の回転軸９との間には、上下羽根７と第１の回転軸９との相対位置を変化させ、また、第１の回転軸９を中心に上下羽根７を回動させる上下羽根駆動手段１１が設けられている。
上下羽根駆動手段１１は、一端部が第１の回転軸９に回転可能に支持され他端部が上下羽根７を支持した連結体１２と、上下羽根７を連結体１２に対して相対移動させる移動機構１３と、第１の回転軸９を中心に連結体１２を回動させる回動機構１４とを有している。
【００１０】
上記連結体１２は上下羽根７の両端部側にそれぞれ設けられており、上記移動機構１３および上記回動機構１４もそれぞれの連結体１２に設けられている。
上記移動機構１３は、第１の回転軸９に固定され第１の回転軸９とともに回転する第１のギヤ１５、連結体１２に回転可能に支持され第１のギヤ１５に歯合した第２のギヤ１６、この第２のギヤ１６と歯合した回転可能な第３のギヤ１７および連結体１２に回転可能に支持され一端部が第３のギヤ１７と固定された第３の回転軸１８からなる第１の回転力伝達部と、第３の回転軸１８の他端部に固定された回転体である第４のギヤ１９とを有している。
第１のギヤ１５、第２のギヤ１６および第３のギヤ１７は、内部が空洞に形成された連結体１２の内部に、第１の回転軸９から上下羽根７に向かって並べて配置されている。
【００１１】
上下羽根７には、第１の回転軸９に対向した面であって、吹出し口２を区画する両側面側に、偏平形状に形成されたリング形状のスライドガイド７ａが固定されている。
このスライドガイド７ａは、第１の回転軸９に直交した方向に延びており、内側の底面には三角形状の第１の接触部である突起部７ｂが長手方向に連続して形成されている。
この突起部７ｂには、第４のギヤ１９が歯合している。
これにより、第１の回転軸９が回転した場合には、その回転力が、第１のギヤ１５、第２のギヤ１６および第３のギヤ１７および第３の回転軸１８を介して、第４のギヤ１９に伝達され、上下羽根７が連結体１２に対して相対移動する。
なお、この実施の形態では、突起部７ｂが形成されたスライドガイド７ａを有した上下羽根７について説明したが、勿論このものに限らず、突起部が直接形成された上下羽根７であってもよい。
【００１２】
上記回動機構１４は、第１の回転軸９を中心に連結体１２に固定された第２の接触部である第５のギヤ２０およびこの第５のギヤ２０と歯合した回転可能な第６のギヤ２１からなる第２の回転力伝達部と、第２の回転軸１０に固定され第６のギヤ２１と歯合した第７のギヤ２２とを有している。
第５のギヤ２０、第６のギヤ２１および第７のギヤ２２は、第１の回転軸９から第２の回転軸１０に向かって並べて配置されている。
これにより、第２の回転軸１０が回転した場合には、その回転力が、第７のギヤ２２および第６のギヤ２１を介して、第５のギヤ２０に伝達され、連結体１２が第１の回転軸９を中心に回動する。
なお、第５のギヤ２０は連結体１２に一体に形成してもよい。
突起部７ｂ、第１のギヤ１５、第２のギヤ１６、第３のギヤ１７、第４のギヤ１９、第５のギヤ２０、第６のギヤ２１および第７のギヤ２２は銅系の金属から構成されているが、勿論このものに限らず、鉄系の金属、ポリアセタール樹脂、ナイロン樹脂等のその他の部材であってもよい。
【００１３】
第１の回転軸９の一方の端部には、第１の回転軸９を回転させる第１のモータであるスライド運動用モータ２３が接続され、第２の回転軸１０の一方の端部には、第２の回転軸１０を回転させる第２のモータである回動運動用モータ２４が接続されている。
【００１４】
次に、実施の形態１に係る空気調和機の動作について説明する。
図４は図１の空気調和機が停止状態のときの構成図、図５は図１の空気調和機が吹出し口２から気流を水平方向に吹き出すときの構成図、図６は図１の空気調和機が吹出し口２から気流を下方向に吹き出すときの構成図である。
空気調和機が停止している状態では、上下羽根７は、吹出し口を閉じるように傾けられている。
これにより、意匠上、すっきりした構造にすることができる。
この状態で、利用者により、暖房運転するように空気調和機が操作されると、回動運動用モータ２４が駆動して、第２の回転軸１０が回転し、その回転力が、第７のギヤ２２および第６のギヤ２１を介して、第５のギヤ２０に伝達され、連動して、連結体１２が第１の回転軸９を中心に、上下羽根７の凹部が下側を向く方向に、回動する。
上下羽根７の凹部に沿って気流を下方向に偏向させることができるので、温風が上下羽根７の下流側端部から舞い上がることを抑制し、床面方向への温風到達性を向上させることができる。
また、上下羽根７を大きな角度で回動運動させて、上下羽根７を吹出し口２の天面に近づけることができるので、上下羽根７の上側を通った気流が上方向に流れることを抑制し、気流の制御性を向上させることができる。
【００１５】
次に、スライド運動用モータ２３が駆動して、第１の回転軸９が回転し、その回転力が、第１のギヤ１５、第２のギヤ１６、第３のギヤ１７、第３の回転軸１８を介して第４のギヤ１９に伝達される。
第４のギヤ１９が突起部７ｂと歯合しながら回転するので、上下羽根７は、連結体１２に対して、下流側の端部が第１の回転軸９から離れる方向に相対移動する。
これにより、上下羽根７が左右羽根８または吹出し口２の天面に衝突することを防ぐことができる。
【００１６】
次に、利用者により、冷房運転するように空気調和機が操作されると、回動運動用モータ２４が暖房時とは反対方向に駆動して、第２の回転軸１０が回転し、その回転力が、第７のギヤ２２および第６のギヤ２１を介して、第５のギヤ２０に伝達され、連動して、連結体１２が第１の回転軸９を中心に、上下羽根７の凹部が上側を向く方向に、回動する。
上下羽根７の凹部に沿って気流を水平方向に偏向させることができるので、冷風が上下羽根７の下流側端部から垂れ下がることを抑制することができる。
また、上下羽根７を大きな角度で回動運動させて、上下羽根７を吹出し口２の底面に近づけることができるので、上下羽根７の下側を通った気流が下方向に流れることを抑制し、気流の制御性を向上させることができる。
【００１７】
次に、スライド運動用モータ２３が暖房時とは反対方向に駆動して、第１の回転軸９が回転し、その回転力が、第１のギヤ１５、第２のギヤ１６、第３のギヤ１７、第３の回転軸１８を介して第４のギヤ１９に伝達される。
第４のギヤ１９が突起部７ｂと歯合しながら回転するので、上下羽根７は、連結体１２に対して、下流側の端部が第１の回転軸９から離れる方向に相対移動する。
これにより、上下羽根７が左右羽根８または吹出し口２の底面に衝突することを防ぐことができる。
【００１８】
以上説明したように、実施の形態１に係る空気調和機によれば、上下羽根駆動手段１１により、第１の回転軸９と上下羽根７との相対位置を変化させ、かつ、第１の回転軸９を中心に上下羽根７を回動させるので、例えば、例えば、気流の方向を下方向に偏向させるために上下羽根７を下方向に傾けても、上下羽根７の上流側端部を吹出し口２の天面に近づけることで、上下羽根７の上側を通過する気流の一部が偏向されずに上方向に流れてしまうことを抑制し、気流の制御性を向上させることができる。
【００１９】
また、第１の回転力伝達手段により、スライド運動用モータ２３と上下羽根７とを離して配置することができ、また第２の回転力伝達手段により、回動運動用モータ２４と上下羽根７とを離して配置することができるので、スライド運動用モータ２３または回動運動用モータ２４による流路３内の気流の圧力損失を低減し、また、乱流発生により生じる結露を抑制することができる。
また、第１の回転軸９はスライド運動用モータ２３の駆動により回転し、第２の回転軸１０は回動運動用モータ２４の駆動により回転するので、上下羽根７が吹出し口２または左右羽根８に衝突しないように、上下羽根７を回動させることができる。
また、スライド運動用モータ２３のみを駆動することで、上下羽根７の角度を変えずに、上下羽根７を、下流側にせり出したり、上流側に引っ込めたりすることができる。その結果、例えば、吹出し口２の流路３を狭くして気流を縮流することで、気流の流速を増加させ、気流の到達距離を長くすることができ、気流の制御性をさらに向上させることができる。
【００２０】
図７は、実施の形態１に係る空気調和機の上下羽根駆動手段１１の他の例を示す斜視図、図８（ａ）は図７の上下羽根駆動手段１１の一端部を示す正面図、図８（ｂ）は図８（ａ）の矢印Ｂから視た上下羽根駆動手段１１の側面図、図８（ｃ）は図７の上下羽根駆動手段１１の他端部を示す正面図、図８（ｄ）は図８（ｃ）の矢印Ｄから視た上下羽根駆動手段１１の側面図である。
なお、図８では、スライドガイド７ａを省略し、図８（ｂ）では、回動運動用モータ２４を省略し、図８（ｄ）では、スライド運動用モータ２３を省略している。
スライド運動用モータ２３は、吹出し口２の一方の側面側に配置され、回動運動用モータ２４は、吹出し口２の他方の側面側に配置されている。
第２の回転軸１０は、回動運動用モータ２４と、この回動運動用モータ２４に近接した一方の連結体１２との間に渡って設けられおり、回動機構１４は、一方の連結体１２に設けられている。
連結体１２、回動機構１４および上下羽根７は、一方の連結体１２が第１の回転軸９を中心に回動したときに、上下羽根７および他方の連結体１２が第１の回転軸９を中心に回動できる程度に、機械的剛性を有した材料で構成されている。
この空気調和機によれば、スライド運動用モータ２３と回動運動用モータ２４とがそれぞれ離れて配置されているので、スライド運動用モータ２３および回動運動用モータ２４の大きさの自由度が向上する。
また、第２の回転軸１０は、回動運動用モータ２４と、回動運動用モータ２４に近接した一方の連結体１２との間に渡って設けられており、それぞれの連結体１２の間には設けられていないので、上下羽根７に沿って流れる気流が第２の回転軸１０により妨害されることを低減させることができる。
【００２１】
実施の形態２．
図９は実施の形態２に係る空気調和機の上下羽根駆動手段１１を示す斜視図、図１０（ａ）は図９の上下羽根駆動手段１１の一端部を示す正面図、図１０（ｂ）は図１０（ａ）の矢印Ｂから視た上下羽根駆動手段１１の側面図、図１０（ｃ）は図９の上下羽根駆動手段１１の他端部を示す正面図、図１０（ｄ）は図１０（ｃ）の矢印Ｄから視た上下羽根駆動手段１１の側面図である。
なお、図１０では、スライドガイド７ａを省略し、図１０（ｄ）では、モータ２７を省略している。
この実施の形態２に係る空気調和機の上下羽根駆動手段１１は、第１の回転軸９に固定され第１の回転軸９とともに回転する第８のギヤ２５と、第２の回転軸１０に固定され第２の回転軸１０とともに回転し第８のギヤ２５と歯合した第９のギヤ２６とを有した第３の回転力伝達部をそれぞれの連結体１２に備えている。
第１の回転軸９は、それぞれの連結体１２に渡って設けられており、この第１の回転軸９の一方の端部には、モータ２７が取り付けられている。なお、第２の回転軸１０には、モータが取り付けられていない。
モータ２７の駆動により、第１の回転軸９が回転した場合には、その回転力が、第８のギヤ２５および第９のギヤ２６を介して、それぞれの第２の回転軸１０に伝達される。
なお、この実施の形態では、それぞれの連結体１２に第２の回転軸１０がそれぞれ設けられた空気調和機について説明したが、勿論、それぞれの連結体１２に渡って設けられた１本の第２の回転軸１０を備えた空気調和機であってもよい。
また、第２の回転軸１０にモータが取り付けられ、第１の回転軸９にモータが取り付けられていない空気調和機であってもよい。この場合であっても、第３の回転力伝達部により、第２の回転軸１０の回転力を第１の回転軸９に伝達することができる。
その他の構成は実施の形態１と同様である。
【００２２】
次に、実施の形態２に係る空気調和機の動作について説明する。
まず、停止状態から、暖房運転するように空気調和機が操作されると、モータ２７が駆動して、第１の回転軸９が回転し、実施の形態１に係る空気調和機と同様にして、第１の回転軸９の回転力が、第４のギヤ１９に伝達される。
その結果、上下羽根７は、連結体１２に対して、下流側の端部が第１の回転軸９から離れる方向に相対移動する。
また、同時に、第１の回転軸９の回転力は、第８のギヤ２５および第９のギヤ２６を介して、第２の回転軸１０に伝達される。
第２の回転軸１０は回転し、実施の形態１に係る空気調和機と同様にして、第２の回転軸１０の回転力が、第５のギヤ２０に伝達される。
その結果、上下羽根７は、凹部が下側を向く方向に回動する。
冷房運転するように空気調和機が操作された場合には、暖房時とは反対方向に、モータ２７が駆動して、上下羽根７は、連結体１２に対して、下流側の端部が第１の回転軸９から離れる方向に相対移動するとともに、上下羽根７は、凹部が上側を向く方向に回動する。
これにより、上下羽根７が吹出し口２または左右羽根８に衝突しないように、上下羽根７を回動させることができる。
【００２３】
実施の形態２に係る空気調和機によれば、実施の形態１に係る空気調和機よりも、モータの数を減らすことができ、空気調和機の小型化を図ることができる。
【００２４】
なお、上記各実施の形態では、突起部７ｂ、第１のギヤ１５、第２のギヤ１６、第３のギヤ１７、第３の回転軸１８および第４のギヤ１９を介して第１の回転軸９の回転力を上下羽根７に伝達して上下羽根７を移動させる移動機構１３について説明したが、勿論このものに限らない。
例えば、ゴムローラ、金属ローラ、樹脂ローラ等の摩擦力を利用して第１の回転軸９の回転力を上下羽根７に伝達して上下羽根７を移動させる移動機構１３であってもよい。
また、歯付きベルト、Ｖベルト等のベルト駆動を利用して、第１の回転軸９の回転力を上下羽根７に伝達して上下羽根７を移動させる移動機構１３であってもよい。
【００２５】
また、上記各実施の形態では、第５のギヤ２０、第６のギヤ２１および第７のギヤ２２を介して第２の回転軸１０の回転力を連結体１２に伝達して、連結体１２を回動させる回動機構１４について説明したが、勿論このものに限らない。
例えば、ゴムローラ、金属ローラ、樹脂ローラ等の摩擦力を利用して第２の回転軸１０の回転力を連結体１２に伝達して、連結体１２を回動させる回動機構１４であってもよい。
また、歯付きベルト、Ｖベルト等のベルト駆動を利用して、第２の回転軸１０の回転力を連結体１２に伝達して、連結体１２を回動させる回動機構１４であってもよい。
【００２６】
また、上記各実施の形態では、第１のギヤ１５、第２のギヤ１６、第３のギヤ１７、第４のギヤ１９、第５のギヤ２０、第６のギヤ２１、第７のギヤ２２、第８のギヤ２５および第９のギヤ２６を備えた空気調和機について説明したが、ギヤの数は、これに限らない。
【００２７】
また、上記実施の形態２では、第１の回転軸９と第２の回転軸１０との間に、第１の回転軸９の回転力を第２の回転軸１０に伝達する、第８のギヤ２５および第９のギヤ２６を有した第３の回転力伝達部について説明したが、勿論このものに限らない。
例えば、ゴムローラ、金属ローラ、樹脂ローラ等の摩擦力を利用して、例えば、第１の回転軸９の回転力を第２の回転軸１０に伝達する第３の回転力伝達部であってもよい。
また、歯付きベルト、Ｖベルト等のベルト駆動を利用して、例えば、第１の回転軸９の回転力を第２の回転軸１０に伝達する第３の回転力伝達部であってもよい。
【図面の簡単な説明】
【００２８】
【図１】実施の形態１に係る空気調和機の構成図である。
【図２】図１の上下羽根駆動手段を示す斜視図である。
【図３】図３（ａ）は図２の上下羽根駆動手段の一端部を示す正面図、図３（ｂ）は図３（ａ）の矢印Ｂから視た上下羽根駆動手段の側面図、図３（ｃ）は図２の上下羽根駆動手段の他端部を示す正面図、図３（ｄ）は図３（ｃ）の矢印Ｄから視た上下羽根駆動手段の側面図である。
【図４】図１の空気調和機が水平方向に気流を吹き出しているときの構成図である。
【図５】図１の空気調和機が下方向に気流を吹き出しているときの構成図である。
【図６】図１の空気調和機が停止しているときの構成図である。
【図７】実施の形態１に係る空気調和機の上下羽根駆動手段の他の例を示す斜視図である。
【図８】図８（ａ）は図７の上下羽根駆動手段の一端部を示す正面図、図８（ｂ）は図８（ａ）の矢印Ｂから視た上下羽根駆動手段の側面図、図８（ｃ）は図７の上下羽根駆動手段の他端部を示す正面図、図８（ｄ）は図８（ｃ）の矢印Ｄから視た上下羽根駆動手段の側面図である。
【図９】実施の形態２に係る空気調和機の上下羽根駆動手段を示す斜視図である。
【図１０】図１０（ａ）は図９の上下羽根駆動手段の一端部を示す正面図、図１０（ｂ）は図１０（ａ）の矢印Ｂから視た上下羽根駆動手段の側面図、図１０（ｃ）は図９の上下羽根駆動手段の他端部を示す正面図、図１０（ｄ）は図１０（ｃ）の矢印Ｄから視た上下羽根駆動手段の側面図である。
【符号の説明】
【００２９】
１  吸込み口、２  吹出し口、３  風路、４  ケース、５  ファン、６  熱交換器、７  上下羽根、７ａ  スライドガイド、７ｂ  突起部、８  左右羽根、９  第１の回転軸、１０  第２の回転軸、１１  上下羽根駆動手段、１２  連結体、１３  移動機構、１４  回動機構、１５  第１のギヤ、１６  第２のギヤ、１７  第３のギヤ、１８  第３の回転軸、１９  第４のギヤ、２０  第５のギヤ、２１  第６のギヤ、２２  第７のギヤ、２３  スライド運動用モータ、２４  回動運動用モータ、２５  第８のギヤ、２６  第９のギヤ、２７  モータ。
【図１】
0004426609.tif 000002
【図２】
0004426609.tif 000003
【図３】
0004426609.tif 000004
【図４】
0004426609.tif 000005
【図５】
0004426609.tif 000006
【図６】
0004426609.tif 000007
【図７】
0004426609.tif 000008
【図８】
0004426609.tif 000009
【図９】
0004426609.tif 000010
【図１０】
0004426609.tif 000011